(57)【特許請求の範囲】
【請求項１】
基部に開口部が形成された袋体形状の清拭用物品において、
前記袋体は、
不織布の外面シートと防水性を有する内面シートおよび前記外面シートと内面シートとの間に挟まれたクッション層とを有する積層体によって形成された片面構成体が２枚重ね合わされ、
前記開口部に相当する部分を除く前記片面構成体の周縁部に形成された接合部において互いに接合されることにより形成されており、
前記接合部は、前記袋体の内方に向けられて、前記袋体を裏返す際に摘むことができる摘み部を構成する清拭用物品。
【請求項２】
前記摘み部は、前記開口部と対向する前方縁部の内側に設けられている請求項１記載の清拭用物品。
【請求項３】
前記袋体の内面に、前記開口部から外部に突出できる粘着テープが設けられている請求項１または２記載の清拭用物品。
【請求項４】
前記外面シートは液透過性であり、前記クッション層は保水能力を有している請求項１ないし３のいずれかに記載の清拭用物品。
【発明の詳細な説明】
【０００１】
【発明の属する技術分野】
本発明は、身体の清拭、家具やトイレットの便器などの清拭、自動車の洗車時などの清拭に使用される清拭用物品に係り、特に汚れが手に付着しない状態で使い捨てが可能な清拭用物品に関する。
【０００２】
【従来の技術】
老人や病人の介護の際に身体を清拭するとき、またはトイレットの便器などを清拭するとき、あるいは自動車の洗車後に車体を清拭する際には、布を重ねて使用する場合もあるが、最近では手で保持しやすいように袋状に形成されたものがある。また、汚れや水分が手に伝わらないように、表面が不織布で内側が防水シートで形成されたもの、または袋体の内側に指を掛ける部分を形成して手で保持しやすくしたものなどが提案されている。
【０００３】
【発明が解決しようとする課題】
しかし、従来の清拭用物品では、使用した後に清拭用物品の表面に付着した汚れが手に付くことのない状態で使い捨てできるようにする工夫がなされたものが存在していなかった。また、従来の清拭用物品はクッション性が乏しく、身体を拭くときに身体に違和感を生じさせやすい。また濡れた部分を拭き取るときの保水能力を高めたものも存在しておらず、さらに老人介護や病人介護の際に濡らした状態で使用することに適するものも存在していなかった。
【０００４】
本発明は、上記従来の課題を解決するものであり、使用後に手に汚れが付きにくい状態で廃棄することができ、また使用時にクッション感を生じさせることが可能な清拭用物品を提供することを目的としている。
【０００５】
【課題を解決するための手段】
本発明は、基部に開口部が形成された袋体形状の清拭用物品において、
前記袋体は、不織布の外面シートと防水性を有する内面シートおよび前記外面シートと内面シートとの間に挟まれたクッション層とを有する積層体で形成されており、
前記袋体の内部の前記開口部を除く周縁部の少なくとも一部に、前記袋体を裏返す際に摘むことができる摘み部が設けられていることを特徴とするものである。
【０００６】
上記清拭用物品は、被清拭物に対する拭き取りを行って外面シートが汚れたときに、袋体内へ手を入れ、指で摘み部を摘んで開口部側へ引き出すことによって、袋体を簡単に裏返しでき、汚れた外面シートを袋体の内面に向けた状態で廃棄することができる。また袋体を構成する積層体がクッション層を有しているために、被清拭部に対する当たりがソフトであり、また清掃者の手の与えられる感触も良好である。
【０００７】
前記において、前記摘み部は、前記開口部と対向する前方縁部の内側に設けられていることが好ましい。
【０００８】
前記摘み部が袋体の前方縁部の内部に設けられていると、前記摘み部を摘みやすく、また摘み部を袋体の開口部に向けて真っ直ぐ引き出すだけで袋体を裏返すことができ、裏返し操作が容易である。
【０００９】
また、前記袋体の内面に、前記開口部から外部に突出できる粘着テープが設けられているものが好ましい。
【００１０】
上記発明では、裏返した状態で丸めたり折ったりして前記粘着テープでその状態を維持できるように止めることができ、コンパクトにまとめた状態で廃棄できる。
【００１１】
また、前記外面シートは液透過性であり、前記クッション層は保水能力を有していることが好ましい。
【００１２】
このように構成すると、濡れた身体などを拭いたときに、被清拭部の水分を前記クッション層が吸い取って、濡れた体などの水分を確実に拭き取ることができる。また予めクッション層に水分や洗剤などを含ませて濡れた状態で清拭に使用することも可能である。
【００１３】
例えば、前記外面シートと内面シートおよびクッション層を有する前記積層体によって片面構成体が形成されており、前記片面構成体が２枚重ね合わされ、前記開口部を除く周縁部で前記片面構成体どうしが接合されて前記袋体が形成されているものとして構成できる。
【００１４】
このように構成すると、開口部を有する袋体を簡単に形成することができる。
【００１５】
また、前記片面構成体どうしを接合している接合部が袋体の内方に向けられており、前記接合部が前記摘み部となっているものとして構成できる。
【００１６】
このように、接合部が内方に向けられていると、外面で汚れを拭き取った後に、開口部から手を入れ前記接合部を掴んで袋体を裏返しする操作が容易である。
【００１７】
さらに、前記片面構成体は、基部から前方縁部に向けて幅寸法が徐々に小さくなる形状であり、前記基部に前記開口部が形成されているものが好ましい。
【００１８】
例えば、前記片面構成体は台形であり、台形の下底辺に前記開口部が形成されているものである。
【００１９】
前記のように開口部から前方縁部にかけて幅寸法が徐々に小さいものであると、袋体の裏返しが容易である。
【００２０】
【発明の実施の形態】
図１は本発明の清拭用物品の第１の実施の形態を示す斜視図、図２は図１のＩＩ−ＩＩ線の断面図、図３（Ａ）は清拭操作完了後に裏返した状態を示す斜視図図３（Ｂ）は粘着テープの取り付け部を示す図３（Ａ）のＢ−Ｂ線の断面図、図４は丸めて粘着テープで止めた状態を示す斜視図である。
【００２１】
図１に示す清拭用物品１は、その平面形状が台形であり、台形の下底辺に開口部２が形成されている。また台形の上底辺すなわち前記開口部２と逆に向けられている辺が前方縁部３である。この清拭用物品１は、前記前方縁部３および右側縁部４と左側縁部５が閉じられて、開口部２のみが開放されている。
【００２２】
図２の断面図に示すように、前記清拭物品１は、片面構成体１１と片面構成体１２とが前記前方縁部３および右側縁部４と左側縁部５とで接合されて袋状とされている。
【００２３】
前記片面構成体１１と片面構成体１２は上下に対称の構造である。片面構成体１１は、袋体の外面に向けられた液透過性の不織布で形成された外面シート１３ａと、袋体の内面に向けられている防水性の内面シート１４ａと、前記外面シート１３ａと内面シート１４ａとの間に挟まれた液を保持する能力を有する繊維層で形成されたクッション層１５ａを有する積層体である。同様に、片面構成体１２も、袋体の外面に向けられた液透過性の不織布で形成された外面シート１３ｂと、袋体の内面に向けられている防水性の内面シート１４ｂと、前記外面シート１３ｂと内面シート１４ｂとの間に挟まれた液を保持する能力を有する繊維層で形成されたクッション層１５ｂを有する積層体である。
【００２４】
図３（Ａ）は袋体を裏返した状態、すなわち内面シート１４ａと１４ｂが外面側に向けられた状態を示している。前記片面構成体１１は、前方縁部３側において、前記クッション層１５ａよりも外側で、前記外面シート１３ａと内面シート１４ａとがホットメルト型接着剤で接着され、または熱シールされて幅寸法がＷ１のフランジ２１ａが形成されている。また、右側縁部４側において、クッション層１５ａの外側で前記外面シート１３ａと内面シート１４ａとが接合されて幅寸法がＷ２のフランジ２２ａが形成されている。また、左側縁部５側において、クッション層１５ａの外側で前記外面シート１３ａと内面シート１４ａとが接合されて幅寸法Ｗ２のフランジ２３ａが形成されている。
【００２５】
同様に、片面構成体１２においても、前方縁部３側において、前記クッション層１５ｂよりも外側で、前記外面シート１３ｂと内面シート１４ｂとがホットメルト型接着剤で接着され、または熱シールされて幅寸法がＷ１のフランジ２１ｂが形成されている。また片面構成体１１では、右側縁部４側において、クッション層１５ｂの外側で前記外面シート１３ｂと内面シート１４ｂとが接合されて幅寸法がＷ２のフランジ２２ｂが形成されている。また、左側縁部５側において、クッション層１５ｂの外側で前記外面シート１３ｂと内面シート１４ｂとが接合されて幅寸法Ｗ２のフランジ２３ｂが形成されている。
【００２６】
そして、前記前方縁部３において、片面構成体１１の前記フランジ２１ａと片面構成体１２の前記フランジ２１ｂがホットメルト型接着剤または熱シールなどにより接合されて前記幅寸法Ｗ１の接合部３１が形成されている。また右側縁部４において、前記フランジ２２ａと前記フランジ２２ｂが接合されて幅寸法Ｗ２の接合部３２が形成されている。同様に、左側縁部５において前記フランジ２３ａと前記フランジ２３ｂとが接合されて前記幅寸法Ｗ２の接合部３３が形成されている。
【００２７】
また、前記片面構成体１１では、クッション層１５ａよりも外側の領域で外面シート１３ａと内面シート１４ａとが接合されてフランジ２４ａが形成され、片面構成体１２では、クッション層１５ｂよりも外側の領域で外面シート１３ｂと内面シート１４ｂとが接合されてフランジ２４ｂが形成されており、前記フランジ２４ａとフランジ２４ｂにより、前記開口部２の周縁部が形成されている。
【００２８】
前記のように、片面構成体１１と片面構成体１２とが、開口部２を除いて、前方縁部３と右側縁部４および左側縁部５で互いに接合されているが、図１に示すように、この清拭用物品１では、片面構成体１１の外面シート１３ａと、片面構成体１２の外面シート１３ｂが外側に向けられた状態が、製品の完成状態である。
【００２９】
図１に示す完成状態の清拭用物品１では、前記前方縁部３に形成されている前記接合部３１、および右側縁部４に形成されている前記接合部３２および、左側縁部５に形成されている前記接合部３３が、袋体の内側に向けられた状態である。そして、前記接合部３１，３２および３３が指で摘むことのできる摘み部として機能できるようになっているが、この実施の形態では、特に前方縁部３の内側に延びる前記接合部３１が、比較的大きい幅寸法Ｗ１を有しており，この接合部３１が摘み部として機能できるようになっている。
【００３０】
前記片面構成体１１の内面シート１４ａの表面では、前記開口部２の内側に粘着テープ３５が取り付けられている。この粘着テープ３５は、合成樹脂フィルムで形成されており、図３（Ｂ）に示すように、粘着テープ３５の長さＬ１の基端部３５ａが、開口部２の近傍において前記内面シート１４ａにホットメルト型接着剤３６により容易に剥離することなく固定されている。また、前記粘着テープ３５は、第１の折り曲げ部３５ｃにより折られて中間部３５ｄが前記基端部３５ａに重ねられており、さらに第２の折り曲げ部３５ｅにより折られて、先部３５ｂが前記中間部３５ｄに重ねられている。
【００３１】
前記先部３５ｂの下面に、繰り返し剥離可能な感圧型接着剤層３７が設けられ、この感圧接着剤層３７は中間部３５ｄに対して容易に剥離できるように粘着している。さらに、前記基端部３５ａと中間部３５ｄは、微小面積に塗布されたホットメルト型接着剤のドット３８，３８，３８によって仮り止めされており、前記先部３５ｂのさらに先端部３５ｆ（感圧接着剤３７が塗布されていない先端部）が、前記と同様のドット３９によって、前記中間部３５ｄに仮止めされている。
【００３２】
粘着テープ３５は、袋体の内面において図３（Ｂ）のように畳まれた状態で設置され、しかも先端部３５ｆが容易に剥がれないようにドット３９で仮り止めされているため、開口部２から袋体内に手を入れるときに、前記先端部３５ｆが手に当たったとしても、図３（Ｂ）の折りたたみ状態が解除されることが起こりにくい。
【００３３】
ここで、前記片面構成体１１と片面構成体１２の外面シート１３ａ，１３ｂは、液透過性で且つ熱シール可能な不織布である。例えば乾式または湿式で積層形成された繊維ウエッブを水流で交絡させたスパンレース法で形成された不織布、熱可塑性繊維を熱風で融着させたエアースルー法で形成された不織布、熱可塑性繊維を加圧融着させたポイントボンド法、または熱可塑性樹脂を押し出して融着させたスパンボンド法などで形成された不織布に液透過孔が形成されたものなどである。これら不織布の好ましい目付けは１２〜８０ｇ／ｍ2である。前記不織布を形成する繊維は、ＰＥ繊維、ＰＰ繊維、ＰＥＴ繊維、ＰＥ／ＰＥＴの複合合成繊維、ＰＥ／ＰＰの複合合成繊維などであり、表面に界面活性剤が塗布されて親水処理されたもの、あるいは繊維内に界面活性剤が練りこまれて親水処理されたものが使用される。また、前記繊維に、レーヨン、パルプ、コットンなどの親水性繊維が含まれているものであってもよい。
【００３４】
前記内面シート１４ａ，１４ｂは、防水性を有し且つ熱シール可能なシートであり、例えばＰＥフィルム、ＰＰフィルム、ＰＥＴフィルム、またはこれらのうちの２種以上が積層された複合フィルムである。このフィルムの厚みは１２〜８０μｍが好ましい。あるいは、クッション層１５ａ，１５ｂに面する側が前記外面シート１３ａ，１３ｂと同じ構造で目付けが２０〜１００ｇ／ｍ2の不織布で、袋体の内面側に前記フィルムあるいは前記複合フィルムが現れているフィルムと不織布の複合体であってもよい。あるいは内面シート１４ａ，１４ｂが疎水性または撥水処理された不織布で形成されていてもよい。
【００３５】
前記クッション層１５ａ，１５ｂは、液の吸収性と液の保持能力を有する繊維構造物であり、ＰＥ繊維、ＰＰ繊維、ＰＥＴ繊維、ＰＥ／ＰＥＴの複合合成繊維、ＰＥ／ＰＰの複合合成繊維などに親水処理されたものを含み、またはレーヨンやパルプなどの親水性繊維が混合されたものである。または、不織布や紙を細かく切断されたものの集合体などであってもよい。前記クッション層１５ａ，１５ｂのそれぞれは目付けが３０〜２００ｇ／ｍ2が好ましい。クッション層の目付けが前記範囲未満であると、袋体を形成する片面構成体１１と１２が薄くなりすぎて、清拭者の手や、清拭される側の身体の肌に生じる抵抗感が大きくなりすぎ、前記範囲を越えると、厚くなりすぎて手で保持して取り扱うのが困難になる。
【００３６】
次に前記実施の形態の清拭用物品の使用方法の一例を説明する。
この清拭用物品１は、図１と図２に示すように、片面構成体１１の外面シート１３ａと、片面構成体１２の外面シート１３ｂが外向きとされた状態で消費者に供給され、図１および図２の状態で使用される。図１および図２の状態では、接合部３１および接合部３２と３３は、袋体の内側に向けられている。
【００３７】
図１の状態で、開口部２から手を入れ、手首が開口部２に位置しまたは手首が開口部２よりも袋体の内部に入るようにして清拭に使用する。このとき手のひらが片面構成体１２に向けられたときには、片面構成体１２の外面シート１３ｂが清拭面として使用され、手のひらが片面構成体１１に向けられれば、片面構成体１１の外面シート１３ａが清拭面として使用される。この実施の形態では、片面構成体１１と片面構成体１２とが同じ形状で同じ構造であるため、外面シート１３ａと外面シート１３ｂを清拭面として同じ条件で使用することができる。
【００３８】
例えば、老人介護や病人介護において、入浴後の身体の清拭に使用するときには、乾燥状態の清拭用物品１で身体を拭けば、水分が外面シート１３ａまたは外面シート１３ｂを透過してクッション層１５ａまたは１５ｂで保持され、身体の水分を拭き取ることができる。
【００３９】
また、クッション層１５ａ，１５ｂに水や洗剤を含浸させた状態で、身体を拭くこともできる。クッション層１５ａ，１５ｂを親水処理された繊維または親水性の繊維で形成しておくと、洗剤の泡立ちがよく、身体の表面を拭くのに適したものとなる。また老人や病人介護の際に、排便後の肛門およびその周辺の清拭に使用することも可能である。
【００４０】
また、袋体の内部に向けられている内面シート１４ａ，１４ｂは、防水性を有しているため、清拭用物品１を使用する介護者などの手が濡れたり、手に汚れが付くのを避けることができる。
【００４１】
外面シート１３ａによる清拭と、外面シート１３ｂによる清拭が完了した後に、図３に示すように内面シート１４ａと内面シート１４ｂが外面に向くように表裏逆向きに裏返すことができる。図１に示すように、この実施の形態では、開口部２が形成されている辺の幅寸法Ｗａに対して前方縁部３の幅寸法Ｗｂの方が短く、幅寸法が前記開口部２から前方縁部３にかけて徐々に短くなる形状であるため、前方縁部３を開口部２から引き出すことで、図３に示す裏返し状態に変形させることができる。また、図１の状態で前方縁部３の接合部３１が袋体の内側に向けられて摘み部として機能できるようになっているため、袋体に手を入れ前記接合部３１を指で掴んで開口部２から引き出すことにより、袋体を簡単に裏返すことができる。
【００４２】
なお、前記のように接合部３１を摘み部として機能させて、指で摘んで引き出し袋体を裏返すためには、前記接合部３１の幅寸法Ｗ１は５ｍｍ以上が好ましく、さらに好ましくは１０ｍｍ以上である。またその上限が３０ｍｍ程度であれば、袋体内へ突出する接合部３１が清拭の際の邪魔になりにくい。
【００４３】
図３に示すように袋体を裏返しにすると、開口部２の近傍に設けられた粘着テープ３５が外側に現れる。図４に示すように前方縁部３側から清拭用物品１を丸め、または折りたたんだ後に、図３（Ｂ）に示す粘着テープ３５の先端部３５ｆを摘んで内面シート１４ａから離す方向へ引き上げると、ドット３９で仮り止めされていた先端部３５ｆが中間部３５ｄから剥がれ、ドット３８で仮り止めされている中間部３５ｄが基端部３５ａから剥がされる。さらに先部３５ｂに固着している感圧接着剤層３７が中間部３５ｄから剥離される。
【００４４】
そして、前記粘着テープ３５を開口部２よりも先に伸ばし、図４に示すように粘着テープ３５の先部３５ｂの感圧接着剤層３７を内面シート１４ｂの表面に粘着させることにより、図４に示す状態でコンパクトな形にまとめることができ、そのままの状態で廃棄することができる。
【００４５】
図に示す実施の形態では、片面構成体１１と片面構成体１２が台形である。この場合、開口部２の幅寸法Ｗａは１００〜２５０ｍｍ、前方縁部３の幅寸法Ｗｂが６０〜１５０ｍｍが好ましく、Ｗａ＞Ｗｂであり、ＷａはＷｂの１．２倍以上であることが好ましい。また、開口部２から前方縁部３までの長さＬａは１５０〜３００ｍｍが好ましい。前記範囲内であれば、開口部２から手を入れて袋体を保持しながら清拭作業を行いやすい。
【００４６】
図５と図６は本発明の他の実施の形態を示している。
図５に示す実施の形態の清拭用物品１Ａは、片面構成体１１Ａと片面構成体１２Ａのそれぞれの形状と構造が、図１に示した片面構成体１１および片面構成体１２と近似している。ただし、図５に示す実施の形態では、片面構成体１１Ａと片面構成体１２Ａにおいて、前方縁部３を起点として開口部２に向かう所定長さの範囲で、クッション層１５ａとクッション層１５ｂが存在しない帯状領域４０が形成されており、この帯状領域４０では、片面構成体１１Ａを構成している外面シート１３ａと内面シート１４ａ、および片面構成体１２Ａを構成している外面シート１３ｂと内面シート１４ｂの４枚のシートが重ねられて接着され、または熱シールされて接合部４１が形成されている。そして好ましくは、前記接合部４１において、前方縁部３に貫通する切断線４２が形成されている。
【００４７】
この実施の形態では、開口部２から袋体内に手を入れて、人差し指と中指で前記接合部４１を挟み込むことにより、袋体を片手で保持しやすくなる。また前記切断線４２が形成されていると、切断線４２と左側縁部５とで挟まれた袋体の一部４３と、切断線４２と右側縁部４とで挟まれた袋体の一部４４とが独立して挙動できるようになり、よって細かな部分の清拭が可能になる。例えば、老人介護や病人介護の際に、肛門などの細かな箇所をきれいに拭き取ることができる。
【００４８】
図６に示す実施の形態の清拭用物品１Ｂでは、片面構成体１１Ｂと片面構成体１２Ｂの構造が、図１以下に示した前記片面構成体１１と１２の形状および構造と近似している。
【００４９】
ただし、図６に示す実施の形態では、片面構成体１１Ｂの開口部３側のフランジ２４ａと、片面構成体１２Ｂの開口部３側のフランジ２４ｂに、所定ピッチの切断線５１ａが形成されて、この切断線５１ａを縫うように、開口部２の全周に延びる紐５２が設けられて、締め付け手段が構成されている。この紐５２は伸縮性のものであってもよいし、伸縮性のないものであってもよい。手を袋体内に入れて前期紐５２で開口部３を締めることにより、開口部２から袋体の内部に水や汚れが進入しにくくなる。なお前記締め付け手段として前記接合部２４ａと接合部２４ｂに、ゴムなど弾性部材が縫い付けられて、前記開口部２が弾性的に収縮可能なものであってもよい。
【００５０】
図６に示すものは、被清拭物が濡れている場合に、手首の部分から指先にかけて水が進入するのを防止するのに有効であり、よって老人介護や病人介護においての使用に適するのみならず、洗車後の自動車の車体の拭き取りなどに使用するのにも適している。
【００５１】
なお、本発明の前記各実施の形態の清拭用物品１，１Ａまたは１Ｂは、前記のような老人介護や病人介護用、あるいは前記のような洗車後の自動車の車体の拭き取りのみならず、水洗トイレットの便器の清掃にも適している。便器を清拭するときに、前記清拭用物品１，１Ａ，１Ｂを用いると、クッション性があるため、便器を傷つけることなく、汚れを拭き取ることができ、また細かな部分の清掃も可能である。そして、清掃後は、図３に示す状態で裏返し、図４に示すように粘着テープ３５で止めて廃棄することにより、手への汚れの付着を防止できる。
【００５２】
また、前記実施の形態では片面構成体１１，１１Ａ，１１Ｂおよび片面構成体１２，１２Ａ，１２Ｂの平面形状が断面形状であるが、これら片面構成体の平面形状が、開口部２から前方縁部３に向けて幅寸法が徐々に短くなり、さらに前方縁部３が円弧形状などとなっているものであってもよい。
【００５３】
さらに、前記実施の形態では、前方縁部３において袋体の内側に向いている幅寸法Ｗ１の接合部３１を、袋体を裏返す際の摘み部としているが、前記接合部３１の中央部分に開口部２に向く突体を一体に形成して、前記突体を前記摘み部としてもよい。あるいは、前記前方縁部３において袋体の内側に向く、シート片や紐などを取り付けて、これらを前記摘み部としてもよい。
【００５４】
【発明の効果】
以上のように本発明では、ソフトな感触で清拭ができ、例えば人体の肌表面の拭き取りなどに有効である。また、内面シートが防水性であるため、手に水分や汚れが付きにくい。さらに使用後に裏返して粘着テープで止めて廃棄することができ、手を汚すことなくコンパクトな状態で廃棄できる。
【図面の簡単な説明】
【図１】本発明の第１の実施の形態の清拭用物品を示す斜視図、
【図２】図１のＩＩ−ＩＩ線の断面図、
【図３】（Ａ）は、図１に示す清拭用物品を裏返した状態を示す斜視図、（Ｂ）は粘着テープの取り付け部を示す図３（Ａ）のＢ−Ｂ線の断面図、
【図４】図４は図３の状態から袋体を丸めて粘着テープで止めた廃棄状態を示す斜視図、
【図５】本発明の第２の実施の形態の清拭用物品を示す斜視図、
【図６】本発明の第３の実施の形態の清拭用物品を示す斜視図、
【符号の説明】
１，１Ａ，１Ｂ  清拭用物品
２  開口部
３  前方縁部
４  右側縁部
５  左側縁部
１１，１１Ａ，１１Ｂ，１２，１２Ａ，１２Ｂ  片面構成体
１３ａ，１３ｂ  外面シート
１４ａ，１４ｂ  内面シート
１５ａ，１５ｂ  クッション層
３１，３２，３３  接合部
３５  粘着テープ
４２  切断線
５２  紐
【図１】
0004422931.tif 000002
【図２】
0004422931.tif 000003
【図３】
0004422931.tif 000004
【図４】
0004422931.tif 000005
【図５】
0004422931.tif 000006
【図６】
0004422931.tif 000007